(57)【要約】【課題】店舗等の空調空間に使用される消費エネルギーを低減し、空調空間内の温度環境を向上できる省エネルギーシステムを提供する。【解決手段】中央制御部６２に接続され店舗の天井に配設されて店舗内を空気調和する複数の空気調和ユニット１８と、中央制御部６２に接続され店舗内の温度及び湿度を検出する第１温湿度センサー２２と、中央制御部６２に接続され店舗の営業時間帯と店舗の営業休止時間帯を設定するスケジュールタイマー７０とを備え、中央制御部６２は、スケジュールタイマー７０の時刻が店舗の営業時間帯か営業休止時間帯かを判定する時刻判定手段６２０２と、時刻判定手段６２０２が営業休止時間帯であると判定された際に一部の空気調和ユニット１８を営業休止時間帯内で、第１温湿度センサー２２で検出した湿度の計測値が予め設定された設定値となるように除湿運転し空調負荷を平準化する除湿運転制御手段６２０４とを有する構成にした。【選択図】図７
2011149654.tif 000002
【特許請求の範囲】
【請求項１】
中央制御部と、
前記中央制御部に接続され空調空間の天井付近に配設されて空調空間内を空気調和する複数の空気調和ユニットと、
前記中央制御部に接続され空調空間内の温度および湿度を検出する第１温湿度センサーと、
前記中央制御部に接続され空調空間の営業時間帯と空調空間の営業休止時間帯を設定するスケジュールタイマーとを備え、
前記中央制御部は、スケジュールタイマーの時刻が空調空間の営業時間帯か営業休止時間帯かを判定する時刻判定手段と、前記時刻判定手段が営業休止時間帯であると判定された際に前記複数の空気調和ユニットのうち一部の空気調和ユニットを前記営業休止時間帯内の所定時間の間、前記第１温湿度センサーで検出した湿度の計測値が予め設定された設定値となるように除湿運転させる除湿運転制御手段とを有する、
ことを特徴とする省エネルギーシステム。
【請求項２】
前記中央制御部に接続され空調空間の天井に配設されて空調空間の天井付近に滞留する暖気を空調空間の床面側へ吹き降ろすように循環させる複数の暖気循環ファンと、
前記中央制御部に接続され空調空間の床付近の温度を検出する第１温度センサーと、
前記中央制御部に接続され空調空間の風除室の温度を検出する第２温度センサーとをさらに備え、
前記中央制御部は、前記空気調和ユニットによる主として暖房運転時に、前記第１温度センサーで検出した温度を計測し、当該計測値が予め設定された設定値となるように前記複数の暖気循環ファンを駆動制御する暖気循環ファン制御手段を有することを特徴とする請求項１記載の省エネルギーシステム。
【請求項３】
前記中央制御部に接続され空調空間内に設置された冷蔵・冷凍設備から流出して空調空間の床付近に滞留する冷気を吸引して空調空間の天井内に吹き出す複数の冷気回収ファンと、
前記中央制御部に接続され空調空間の床付近の温度及び湿度を検出する第２温湿度センサーと、
前記中央制御部に接続され空調空間の風除室の温度を検出する第２温度センサーと、
前記中央制御部に接続され天井空間内の温度を検出する第３温度センサーと、
前記中央制御部に接続され店舗内の温度を検出する第４温度センサーとをさらに備え、
前記中央制御部は、前記空気調和ユニットによる暖房運転時に、前記第２温湿度センサーで検出した温度の計測値が予め設定された設定値となるように前記複数の冷気回収ファンを駆動制御し、前記空気調和ユニットによる冷房運転時に前記第３温度センサーで検出した温度の計測値が予め設定された設定値となるように前記複数の冷気回収ファンを駆動制御し、さらに中間期には前記第４温度センサーで検出した店舗内の温度の計測値が予め設定された設定値となるように前記複数の冷気回収ファンを駆動制御する冷気回収ファン制御手段を有することを特徴とする請求項１または２記載の省エネルギーシステム。
【請求項４】
前記中央制御部に接続され空調空間の天井と屋根との間に形成された天井空間に外気を供給する給気ファンと、
前記中央制御部に接続され前記天井空間内の熱気を外部へ排出する排気ファンと、
前記中央制御部に接続され前記天井空間内の温度を検出する第３温度センサーとをさらに備え、
前記中央制御部は、前記空気調和ユニットによる冷房運転時に、前記第３温度センサーで検出した温度の計測値が予め設定された設定値となるように前記前記給気ファン及び前記排気ファンを駆動制御する排熱ファン制御手段を有することを特徴とする請求項１乃至３に何れか１項記載の省エネルギーシステム。
【請求項５】
前記中央制御部に接続され空調空間の天井内に設けられ、外気と空調空間内の空気の湿度分と顕熱を同時に熱交換する全熱交換器をさらに備え、
前記中央制御部は、前記全熱交換器を駆動制御する全熱交換器用制御手段を有することを特徴とする請求項１乃至４に何れか１項記載の省エネルギーシステム。
【請求項６】
前記冷気回収ファンで空調空間の天井内に吹き出された冷気を、空調空間内に吹き出す複数の吹出口が前記天井に設置されている請求項３記載の省エネルギーシステム。
【請求項７】
前記冷蔵・冷凍設備から流出する冷気を前記天井内に導く通気ダクトが設けられ、前記冷気回収ファンは、前記通気ダクトの前記天井内への突出端に設けられている請求項３記載の省エネルギーシステム。
【請求項８】
前記中央制御部に取り込まれる前記計測値及び前記システム全体に使用される電力量を含むデータを収集するデータ収集部と、前記データ収集部で収集されたデータを記録する端末装置とをさらに備えることを特徴とする請求項１乃至７に何れか１項記載の省エネルギーシステム。
【請求項９】
前記中央制御部に接続され前記空調空間の風除室の天井に配設され該風除室の出入口にエアカーテンを形成する複数のエアカーテン用ファンと、前記風除室内の天井の温度を検出する第３温度センサーをさらに備え、
前記中央制御部は、前記空気調和ユニットによる冷房・暖房運転時に前記第３温度センサーで検出した温度と第４温度センサーで検出した店舗内温度との差を計測し、この計測値が予め設定された設定値となるように前記エアカーテン用ファンを駆動制御するエアカーテンファン制御手段を有することを特徴とする請求項１乃至８に何れか１項記載の省エネルギーシステム。
【請求項１０】
消費電力量のピークをカットして電力コストを低減するデマンド装置と、空気調和ユニット、暖気循環ファン、冷気回収ファン、給気ファンと排気ファン、全熱交換器等の電気機器ごとに使用される電流値をパルス数に変換して得られる電力量データを収集するデータ収集部及び電力引き込みラインに接続された総電力量パルス発信部が設けられ、前記デマンド装置は、前記総電力量パルス発信部から送信される総各電力量の総和が予め設定された設定値（契約電力）と比較され、前記電力量データの総和が前記設定値以上になると予測される場合に前記デマンド装置に接続された前記電気機器の一部を停止することを特徴とする請求項１乃至９に何れか１項記載の省エネルギーシステム。
【発明の詳細な説明】
【技術分野】
【０００１】
本発明は、コンビニエンスストア等の食品店や飲食店などの店舗あるいは居住空間などの空調空間の消費エネルギーを低減する省エネルギーシステムに関し、さらに詳しくは、店舗における空調換気設備、冷凍・冷蔵設備、照明設備等を統合して省エネルギー運転を可能にした省エネルギーシステムに関する。
【背景技術】
【０００２】
二酸化炭素の排出による環境への影響が懸念される近年の状況下では、食品店舗や事業所（事務所ビル、ホテル、病院など）におけるエネルギーの使用量の抑制が求められている。これを受けて、エネルギー使用の合理化に関する法律が改正され、各種の機械電気設備を使用する食品店舗や事業所においても、エネルギー使用の合理化が義務付けられてきている。
【０００３】
照明を含む電気設備、空調換気設備や冷凍・冷蔵設備等を有するコンビニエンスストア等の食品店舗においては、これらに使用する電力の省エネルギー対策として、様々な施策が提案されている。その１つとして、空調換気設備、冷凍・冷蔵設備、照明設備等を高効率化された設備に交換したりして、個々の設備毎に省エネルギー化を行っていた（例えば特許文献１参照）。
【先行技術文献】
【特許文献】
【０００４】
【特許文献１】特開２０００−２０５７０８号公報
【発明の概要】
【発明が解決しようとする課題】
【０００５】
ところで、近年の食品店舗等においては、食品の安全性及び生鮮食品や冷凍食品のニーズが高まっていることから、店舗内に冷凍・冷蔵ショーケースが多数設置されるようになってきている。これに伴い、冷凍・冷蔵ショーケースから店舗内に流れ出す冷気も多くなり、店舗内の空調に影響を及ぼす。特に冬季においては、空調設備で店舗内を暖房しているのに対して、冷凍・冷蔵ショーケースから流れ出た冷気は店舗内を冷やすという矛盾した状況が顕著となりつつある。
【０００６】
従来、食品店舗等の空調換気設備、冷凍・冷蔵設備及び照明設備を新設又は改修する際には、空調換気機器や冷凍・冷蔵設備及び照明設備に個別に導入して運転管理されることが多い。そのため、上述したように店舗内の温度環境としては矛盾した状況にあり、必要以上にエネルギーを使用する状況が見うけられる。
したがって、現状では、大規模建築物向けのエネルギー管理システムとしてＢＥＭＳを導入することが多いが、中小規模の食品店舗等では費用対効果の関係から導入することは困難である。
【０００７】
本発明は、上記のような点に鑑みなされたもので、その目的は、店舗などの空間の空調換気設備、冷凍・冷蔵設備、照明設備などに使用される消費エネルギーを低減し、空調空間内の温度環境を向上でき、かつ低コストで導入できる省エネルギーシステムを提供することにある。
【課題を解決するための手段】
【０００８】
上記の目的を達成するために本発明は、省エネルギーシステムであって、中央制御部と、前記中央制御部に接続され空調空間の天井付近に配設されて店舗内を空気調和する複数の空気調和ユニットと、前記中央制御部に接続され空調空間内の温度及び湿度を検出する第１温湿度センサーと、前記中央制御部に接続され空調空間の営業時間帯と空調空間の営業休止時間帯を設定するスケジュールタイマーとを備え、前記中央制御部は、前記スケジュールタイマーの時刻が空調空間の営業時間帯か営業休止時間帯かを判定する時刻判定手段と、前記時刻判定手段が営業休止時間帯であると判定された際に前記複数の空気調和ユニットのうち一部の空気調和ユニットを前記営業休止時間帯内の所定時間の間、前記第１温湿度センサーで検出した湿度の計測値が予め設定された設定値となるように除湿運転させる除湿運転制御手段とを有することを特徴とする。
【発明の効果】
【０００９】
本発明の省エネルギーシステムによれば、空調空間の空調換気設備、冷凍・冷蔵設備、照明設備等に使用される消費エネルギーを低減でき、空調空間内の温度環境を向上でき、かつ省エネルギーシステムを低コストで導入することができる。
【図面の簡単な説明】
【００１０】
【図１】本発明にかかる店舗用の省エネルギーシステムにおいて空気調和ユニットの一部を夜間に除湿運転させて天井結露を防止し、かつ空調負荷の平準化を可能にする場合の例を示す説明用構成図である。
【図２】本発明にかかる店舗用の省エネルギーシステムにおいて空気調和ユニットの暖房運転時等に店舗天井付近の暖気を店舗の空調に利用する場合の例を示す説明用構成図である。
【図３】本発明にかかる店舗用の省エネルギーシステムにおいて空気調和ユニットの暖房運転時等に冷凍・冷蔵設備から流出する冷気を店舗の空調に利用する場合の例を示す説明用構成図である。
【図４】本発明にかかる店舗用の省エネルギーシステムにおいて空気調和ユニットの冷房運転時等に店舗の天井裏に滞留する熱気を店舗の外へ排出する場合の例を示す説明用構成図である。
【図５】本発明にかかる店舗用の省エネルギーシステムにおいて店舗内の空調に全熱交換器を使用した場合の例を示す説明用構成図である。
【図６】本発明にかかる店舗用の省エネルギーシステムにおいて空気調和ユニットの冷房・暖房運転時に店舗の風除室にエアカーテンを発生させる場合の例を示す説明用構成図である。
【図７】本発明にかかる店舗用の省エネルギーシステムの全体の構成を示すブロック図である。
【図８】本発明にかかる店舗用の省エネルギーシステムにおいて空気調和ユニットの一部を夜間に除湿運転させる場合の制御手順を示すフローチャートである。
【図９】本発明にかかる店舗用の省エネルギーシステムにおいて店舗天井付近の暖気を店舗の空調に利用する場合の制御手順を示すフローチャートである。
【図１０】本発明にかかる店舗用の省エネルギーシステムにおいて冷凍・冷蔵設備から流出する冷気を店舗の空調に利用する場合の制御手順を示すフローチャートである。
【図１１】本発明にかかる店舗用の省エネルギーシステムにおいて空気調和ユニットの冷房運転時に店舗の天井裏に滞留する熱気を店舗の外へ排出する場合の制御手順を示すフローチャートである。
【図１２】本発明にかかる店舗用の省エネルギーシステムにおいて空気調和ユニットの冷房・暖房運転時に店舗の風除室にエアカーテン発生する場合の制御手順を示すフローチャートである。
【発明を実施するための形態】
【００１１】
（実施の形態１）
以下、本発明にかかる省エネルギーシステムを店舗に実施した場合の例について、図１乃至図７を参照しながら詳細に説明する。
図１において、符号１２はコンビニエンスストア等の食品店舗や飲食店などの１階床の店舗（特許請求の範囲に記載した空調空間に相当する）であり、地盤ＧＬ上に構築されている。また、この種の店舗１２の屋根１４は折半屋根の構造を有している場合が多い。
店舗１２の天井１６には、風除系統ゾーン、店舗内の吹き抜けゾーン、店舗内の外側ゾーンなどのゾーン毎に冷暖房用の複数の空気調和ユニット１８が配設されている。これら空気調和ユニット１８は、電気やオイル及びガスを燃料とする空冷式や水冷式のヒートポンプパッケージ空調機等から構成され、その室内ユニットは上記店舗１２の天井１６に配設され、室外ユニットは店舗１２の外の地盤ＧＬ付近や屋根１４上に配設される。
【００１２】
各空気調和ユニット１８は、店舗１２内の側壁に設けられたエアコン用（空気調和）制御盤２０に接続されている。このエアコン用制御盤２０は空気調和ユニット１８の空気調和運転に必要な諸種の電気的制御を行うものであり、このエアコン用制御盤２０には、各空気調和ユニット１８を夏や冬を含む四季に応じて個別またはグーループごとに空気調和ができるようにＯＮ／ＯＦＦ制御及び温度設定を行うリモコン２０２が接続されている。また、図７に示すように、エアコン用制御盤２０は出力インタフェース６４を介して中央制御部６２に接続されている。さらに、各空気調和ユニット１８には、図７に示すように、エアコン用制御盤２０を通してＡＣ電源装置６８から空気調和ユニット１８の駆動に必要な電力が供給されるように構成されている。さらに、ＡＣ電源装置６８とエアコン用制御盤２０とを接続する給電ラインには、空気調和ユニット１８の運転時に流れる電流を計測する電流計２０１が設けられている。この電流計２０１で計測された電流値はデータ収集部７８に入力され、電力量に変換されて端末装置８２からデータ受信できるように構成されている。
【００１３】
中央制御部６２は、店舗の営業休止時間帯において一部の空気調和ユニット１８を除湿運転できるように制御する機能を備える。
上記一部の空気調和ユニット１８を除湿運転するために、本実施の形態では、図１及び図７に示すように、店舗１２内の温度及び湿度を検出する第１温湿度センサー２２と、店舗の営業時間帯（例えば１０：００〜２２：３０）及び営業休止時間帯（例えば２２：３０〜１０：００）を設定し管理するスケジュールタイマー７０が設けられている。第１温湿度センサー２２とスケジュールタイマー７０は入力インタフェース６６を介して中央制御部６２に接続されている。
【００１４】
中央制御部６２は、店舗１２の営業時間帯（例えば１０：００〜２２：３０）と店舗の営業休止時間帯（例えば２２：３０〜１０：００）を設定するスケジュールタイマー７０とを備えている。
前記中央制御部は、スケジュールタイマー７０の時刻が店舗１２の営業時間帯か営業休止時間帯かを判定する時刻判定手段６２０２と、時刻判定手段６２０２が営業休止時間帯であると判定された際に複数の空気調和ユニット１８のうち一部の空気調和ユニット１８ａを上記営業休止時間帯内の所定時間の間、第１温湿度センサー２２で検出した湿度の計測値が予め設定された設定値となるように除湿運転させる除湿運転制御手段６２０４とを有している。
なお、店舗１２内の温湿度状況を正確に把握するために第１温湿度センサー２２を複数設けることが必要である。
【００１５】
次に、本実施の形態１に示す店舗用の省エネルギーシステムの動作について、図１、図７及び図８を参照して説明する。
まず、店舗１２内に設置されている中央監視盤（図示せず）をスタートさせ、店舗１２内に火災が発生しているか否かを、店舗１２内に設置されている火災検知器（図示せず）からの検知情報を基に判定する（ステップＳ１１）。ここで、火災の発生を検知した場合は、全ての空気調和ユニット１８をオフ状態にする（ステップＳ１２）。また、火災が発生していないと判定された場合において、空調設備全体として一括警報を発生させるか否かを判定する（ステップＳ１３）。ここで、一括警報を発する必要があると判定された場合は、図示省略の中央監視盤を動作させ、中央監視盤に内蔵されたブザーを鳴動させる（ステップＳ１４）。その後、ステップＳ１２に戻り、空気調和ユニット１８をオフ状態にする。
【００１６】
一方、空調設備全体として一括警報を発する必要がないと判定された場合は、システムを起動して中央制御部６２から出力インタフェース６４を通してエアコン用制御盤２０に空気調和ユニット運転指令信号を出力することにより、各空気調和ユニット１８を起動し、店舗内の空調を開始する（ステップＳ１５）。
次に、中央制御部６２の時刻判定手段６２０２でスケジュールタイマー７０の時刻が店舗１２の営業時間帯（１０：００〜２２：３０）か、または店舗１２の営業休止時間帯（２２：３０〜１０：００）か否かを判定する（ステップＳ１６）。ここで、スケジュールタイマー７０の時刻が営業時間帯であると判定された場合はステップＳ１７に進み、リモコン２０２を操作することで各空気調和ユニット１８に対する空調温度をゾーン毎に設定する。また、スケジュールタイマー７０の時刻が営業休止時間帯であると判定された場合は、中央制御部６２の除湿運転制御手段６２０４により一部の空気調和ユニット１８ａを自動的に除湿運転させる。
【００１７】
次いで、除湿運転制御手段６２０４により、第１温湿度センサー２２で検出した湿度の計測値が設定値（例えば６０％ｒｈ）以上かを比較判定する（ステップＳ１８）。ここで、湿度の計測値が設定値より小さい、すなわち店舗内の湿度が６０％ｒｈより小さいと判定された場合はステップＳ１９に進み、一部の空気調和ユニット１８ａの除湿運転をオフにする。また、店舗内の湿度が６０％ｒｈ以上と判定された場合はステップＳ２０に進み、一部の空気調和ユニット１８ａを除湿運転状態に制御する。
その後、ステップＳ２１に進み、除湿運転制御手段６２０４により、第１温湿度センサー２２で検出した湿度の計測値が設定値（例えば５５％ｒｈ）以下かを比較判定する。ここで、湿度の計測値が設定値以下の場合はステップＳ１９に戻り、一部の空気調和ユニット１８ａの除湿運転をオフにする。また、店舗内の湿度が６０％ｒｈより大きいと判定された場合はステップＳ１６に戻り、以下、スケジュールタイマー７０で設定された営業休止時間帯の所定時間の間、ステップＳ１６乃至ステップＳ２１の処理を繰り返し実行する。
【００１８】
上記のような本実施の形態１によれば、店舗１２の営業休止時間帯において、複数の空気調和ユニット１８のうち一部の空気調和ユニット１８ａを、営業休止時間帯内の所定時間の間、第１温湿度センサー２２で検出した湿度の計測値が予め設定された設定値となるように除湿運転させる構成としたもので、主として夏季に、店舗の天井に結露するのを防止できるとともに、空調負荷の平準化を図ることができ、使用量電力のピークカットができる。さらに、店舗の空調に使用される消費エネルギーを低減でき、省エネルギーシステムを低コストで導入することが可能になる。
【００１９】
（実施の形態２）
次に、店舗用の省エネルギーシステムにおいて、主に空気調和ユニットの暖房運転時に店舗天井付近に滞留する暖気を店舗内の空調に利用する場合の構成について、図２及び図7を参照して説明する。
この実施の形態に示す店舗用省エネルギーシステムは、図１に示す場合と同様に構成された複数の空気調和ユニット１８を備えるほか、前記中央制御部に接続され店舗１２の天井１６に配設されて店舗１２の天井付近に滞留する暖気を店舗１２の床ＦＬ面側へ吹き降ろすように循環させる複数の暖気循環ファン２４と、店舗１２の床面付近の温度を検出する第１温度センサー７２と、季節が夏、冬または春及び秋の中間期に合わせて切り替えられる季節切替スイッチ９５が設けられている。
【００２０】
各暖気循環ファン２４は、店舗１２内の側壁に設けられた暖気循環ファン用制御盤２６に接続されている。この暖気循環ファン用制御盤２６は、暖気循環ファン２４の暖気循環運転に必要な諸種の電気的制御を行うもので、出力インタフェース６４を介して中央制御部６２に接続されている。
各暖気循環ファン２４には、図７に示すように、暖気循環ファン用制御盤２６を通してＡＣ電源装置６８から暖気循環ファン２４の駆動に必要な電力が供給されるように構成されている。第１温度センサー７２は入力インタフェース６６を介して中央制御部６２に接続されている。また、暖気循環ファン用制御盤２６とＡＣ電源装置６８とを接続する給電ラインには、各暖気循環ファン２４の運転時に流れる電流を計測する電流計２６１が設けられている。この電流計２６１で計測された電流値はデータ収集部７８に入力され、電力量に変換されて端末装置８２からデータ受信できるように構成されている。
なお、季節切替スイッチ９５は暖気循環ファン用制御盤２６に設けられる方式であってもよい。
【００２１】
中央制御部６２は、空気調和ユニット１８による暖房運転時等に、第１温度センサー７２で検知された温度を計測し、この計測値が予め設定された設定値となるように複数の暖気循環ファン２４を駆動制御する暖気循環ファン制御手段６２０６を有する。
なお、複数の暖気循環ファン２４を店舗内の吹き抜けゾーン、店舗内の外側ゾーンなどのようにゾーン分けして運転制御する場合は第１温度センサー７２を複数設けることが必要である。
また、この実施の形態２に示す場合のゾーンは、例えば図２及び図６に示すように、風除系統ゾーン１（エアカーテン）、店舗内の吹き抜けゾーン２及び店舗内の外側ゾーン３に分けられている。
後述する風除系統ゾーン１（エアカーテン）の場合は、風除室１２０２に天井付近に設けられた、風除室の温度を検出する第２温度センサー５６や外気温度センサー（図示省略）で検出した温度と、店舗１４内の温度を検出する第４温度センサー８６で検出した温度との差を計測し、この計測値が予め設定された設定値となる天井内温度のように制御する点が、その他のゾーンにおける制御と異なっている。
【００２２】
次に、本実施の形態２に示す店舗用の省エネルギーシステムの動作について、図２、図７及び図９を参照して説明する。
まず、店舗１２内に設置されている中央監視盤（図示せず）をスタートさせ、店舗１２内に火災が発生しているか否かを、店舗１２内に設置されている火災検知器（図示せず）からの検知情報を基に判定する（ステップＳ３１）。ここで、火災の発生を検知した場合は、ゾーン２、３に設置された各暖気循環ファン２４を暖気循環ファン制御手段６２０６でオフ状態に制御する（ステップＳ３２）。また、火災が発生していないと判定された場合は、システムを起動して中央制御部６２の暖気循環ファン制御手段６２０６から出力インタフェース６４を通して暖気循環ファン用制御盤２６に暖気循環ファン運転指令信号を出力する。これにより、各暖気循環ファン２４を駆動する（ステップＳ３３）。
【００２３】
次に、中央制御部６２の時刻判定手段６２０２でスケジュールタイマー７０の時刻が店舗１２の営業時間帯（１０：００〜２２：３０）か否かを判定する（ステップＳ３４）。ここで、スケジュールタイマー７０の時刻が営業時間帯でないと判定された場合はステップＳ３２に戻り、暖気循環ファン制御手段６２０６で、ゾーン２、３の各暖気循環ファン２４をオフ制御する。
一方、スケジュールタイマー７０の時刻が営業時間帯であると判定された場合は、季節切替スイッチ９５が夏、冬、または春及び秋の中間期の何れに切り替えられているかを暖気循環ファン制御手段６２０６により判定する（ステップＳ３５）。ここで、季節が夏で、かつ季節切替スイッチ９５が冷房に切り替えられていると判定された場合はステップＳ３２に戻り、ゾーン２、３の各暖気循環ファン２４をオフ状態にする。また、季節が冬で、かつ季節切替スイッチ９５が暖房に切り替えられていると判定された場合はステップＳ３６に進み、更に、季節が春及び秋の中間期で、かつ季節切替スイッチ９５が中間期に切り替えられていると判定された場合はステップＳ４０に進む。
【００２４】
ステップＳ３６に示す処理は暖気循環ファン制御手段６２０６で行われる。すなわち、空気調和ユニット１８による暖房運転時において、第１温度センサー７２で検知される温度を計測し、この計測値が設定値以下かを比較判定する。この場合のゾーン２、ゾーン３における設定値は１８℃である。なお、記述した設定値は一例であり、店舗の運用状況等に則って設定される必要がある。
ここで、計測値が設定値より大きいと判定された場合はステップＳ３２に戻り、ゾーン２、３の各暖気循環ファン２４を暖気循環ファン制御手段６２０６によりオフ制御する。また、計測値が設定値以下と判定された場合はステップＳ３７に進み、ゾーン２、３の各暖気循環ファン２４を暖気循環ファン制御手段６２０６によりオン制御する。これにより、店舗１２の天井付近に滞留する暖気を暖気循環ファン２４により店舗１２の床ＦＬに向け吹き降ろして、店舗１２の床付近の温熱環境を向上させる。
【００２５】
次いで、暖気循環ファン制御手段６２０６は、再度、第１温度センサー７２で検知される温度を計測し、この計測値が設定値以上かを比較判定する（ステップＳ３８）。この場合のゾーン２、ゾーン３における設定値は２０℃である。
ここで、計測値が設定値以上と判定された場合はステップＳ３２に戻り、ゾーン２、３の各暖気循環ファン２４を暖気循環ファン制御手段６２０６によりオフ制御する。また、ステップＳ３８において、計測値が設定値より小さいと判定された場合はステップＳ３４に戻り、以下、スケジュールタイマー７０で設定された営業時間の間、ステップＳ３４乃至ステップＳ３９の処理を繰り返し実行する。
【００２６】
上記ステップＳ３５において、季節が中間期で、かつ季節切替スイッチ９５が中間期に切り替えられていると判定された場合はステップＳ４０に進み、第２温度センサー５６で検出した温度の計測値が２５℃以下かを比較判定する。ここで、計測値が２５℃より大きいと判定された場合はステップＳ３４に戻り、ステップＳ３４以下の処理を実行する。また、計測値が２５℃以下と判定された場合はステップＳ４１に進み、ゾーン２、３の各暖気循環ファン２４を暖気循環ファン制御手段６２０６によりオン制御する。その後、第１温度センサー７２で検出した温度が設定値以上かを比較判定する（ステップＳ４２）。この場合のゾーン２、３における設定値は２２℃である。
ここで、計測値が設定値より小さいと判定された場合はステップＳ３４に戻り、ステップＳ３４以下の処理を実行する。また、ステップＳ４２において、計測値が設定値以上であると判定された場合はステップＳ４３に進み、ゾーン２、３の各暖気循環ファン２４を暖気循環ファン制御手段６２０６によりオフ制御する。その後、ステップＳ３４に戻り、ステップＳ３４以降の処理を実行する。
【００２７】
このような本実施の形態２によれば、暖房運転時に、店舗１２の天井付近に滞留する暖気を暖気循環ファン２４により店舗１２の床ＦＬに向け吹き降ろし循環するようにしたので、冬季などの暖房運転時における空調時の設定温度を低く抑えることができるとともに、床付近における足下の温熱環境を向上できる。さらに、店舗内の暖房負荷を低減でき、店舗の空調に使用される消費エネルギーを低減できるほか、省エネルギーシステムを低コストで導入することが可能になる。
【００２８】
（実施の形態３）
次に、店舗用の省エネルギーシステムにおいて、主に空気調和ユニットの冷房・暖房運転時に冷凍・冷蔵設備から流出する冷気を店舗内の空調に利用する場合の構成について、図３及び図７を参照して説明する。
この実施の形態に示す店舗用の省エネルギーシステムにおいては、図３に示すように、冷凍・冷蔵設備である複数の冷凍・冷蔵ショーケース２８が店舗１２内の床ＦＬ上に設置されている。また、店舗１２の天井１６内には複数の冷気回収ファン３０が設置されている。この各冷気回収ファン３０は、各冷凍・冷蔵ショーケース２８から流出して店舗１２の床ＦＬ上に滞留する冷気を通気ダクト３２を通して吸引し、店舗１２の天井１６内に吹き出すものである。さらに、天井１６には、各冷気回収ファン３０で店舗１２の天井１６内に吹き出された冷気を店舗１２内に吹き出す複数の吹出口３４が設置されている。
また、店舗１２の床面付近の温度または湿度を検出する第２温湿度センサー３８が設けられている。さらに、風除室１２０２には、天井付近の温度を検出する第２温度センサー５６が設けられている。さらに、店舗１２の天井内には、天井空間の温度を複数の箇所で検出する複数の第３温度センサー４６が設けられている。また、店舗１４内の温度を検出する第４温度センサー８６が設けられている。これら第２温度センサー５６、第４温度センサー８６及び第３温度センサー４６で検出された温度は中央制御部６２に取り込まれるように構成されている。
なお、天井１６内は、冷気回収ファン３０から天井１６内に吹き出された冷気が吹出口３４から効率良く店舗内に吹き出されるように気密性のよい構造になっている。
【００２９】
通気ダクト３２は、店舗１２の床ＦＬ上に設置された各冷凍・冷蔵ショーケース２８の下面と床ＦＬとの間の空間３６と天井１６との間を接続するものであり、この通気ダクト３２は、前記空間３６から店舗１２の側壁に沿い天井１６まで立ち上げられ、そして、通気ダクト３２の天井１６内への突出端には冷気回収ファン３０が設けられている。
また、冷凍・冷蔵ショーケース２８が配置される床ＦＬ付近の温度（または湿度）を検出する温湿度センサー３８が店舗１２の床ＦＬに設けられている。
【００３０】
各冷気回収ファン３０は、店舗１２内の側壁に設けられた冷気回収ファン用制御盤４０に接続されている。この冷気回収ファン用制御盤４０は冷気回収ファン３０の運転に必要な諸種の電気的制御を行うもので、出力インタフェース６４を介して中央制御部６２に接続されている。
各冷気回収ファン３０には、図７に示すように、冷気回収ファン用制御盤４０を通してＡＣ電源装置６８から冷気回収ファン３０の駆動に必要な電力が供給されるように構成されている。第２温湿度センサー３８は入力インタフェース６６を介して中央制御部６２に接続されている。また、ＡＣ電源装置６８と冷気回収ファン用制御盤４０とを接続する給電ラインには、冷気回収ファン３０の運転時に流れる電流を計測する電流計４０１が設けられている。この電流計２０１で計測された電流値はデータ収集部７８に入力され、電力量に変換されて端末装置８２からデータ受信できるように構成されている。
【００３１】
中央制御部６２は、空気調和ユニット１８による暖房運転時には、第２温湿度センサー３８で検出した店舗床面付近の温度の計測値が予め設定された設定値となるように複数の冷気回収ファン３０を駆動制御する冷気回収ファン制御手段６２０８を有している。同様に空気調和ユニット１８による冷房運転時には第３温度センサー４６で検出した天井内の温度が予め設定した設定値となるように、複数の冷気回収ファンを駆動制御する。この冷気回収ファン制御手段６２０８は、季節切替スイッチ９５が夏・冬か、または春及び秋の中間期の何れに切り替えられているかを判定する機能を有する。
なお、季節切替スイッチ９５は冷気回収ファン用制御盤４０に設けられる方式であってもよい。
【００３２】
次に、本実施の形態３に示す店舗用の省エネルギーシステムの動作について、図３、図７及び図１０を参照して説明する。
まず、店舗１２内に設置されている中央監視盤（図示せず）をスタートさせ、店舗１２内に火災が発生しているか否かを、店舗１２内に設置されている火災検知器（図示せず）からの検知情報を基に判定する（ステップＳ５１）。ここで、火災の発生を検知した場合は、冷気回収ファン３０を冷気回収ファン制御手段６２０８でオフ状態に制御する（ステップＳ５２）。また、火災が発生していないと判定された場合は、システムを起動して中央制御部６２の冷気回収ファン制御手段６２０８から出力インタフェース６４を通して冷気回収ファン用制御盤４０に冷気回収ファン運転指令信号を出力して、各冷気回収ファン３０を駆動する（ステップＳ５３）。
【００３３】
次に、中央制御部６２の時刻判定手段６２０２でスケジュールタイマー７０の時刻が店舗１２の営業時間帯（１０：００〜２２：３０）か否かを判定する（ステップＳ５４）。ここで、スケジュールタイマー７０の時刻が営業時間帯でないと判定された場合はステップＳ５２に進み、冷気回収ファン制御手段６２０８により冷気回収ファン３０をオフ制御する。
一方、スケジュールタイマー７０の時刻が営業時間帯であると判定された場合は、季節切替スイッチ９５が夏、冬、または春及び秋の中間期の何れに切り替えられているかを冷気回収ファン制御手段６２０８により判定する（ステップＳ５６）。ここで、季節が夏または冬で、かつ季節切替スイッチ９５が夏または冬に切り替えられていると判定された場合はステップＳ５７に進む。また、季節切替スイッチ９５が中間期に切り替えられていると判定された場合はステップＳ６１に進む。
【００３４】
ステップＳ５７に示す処理は冷気回収ファン制御手段６２０８で行われる。すなわち、空気調和ユニット１８による暖房運転時において、第２温湿度センサー３８または第４温度センサー８６で検出した温度の計測値が設定値以下かを比較判定する。同様に空気調和ユニット１８による冷房運転時には天井内の第３温度センサー４６で検出した温度の計測値が設定した設定値以上かを比較判定する。この場合冬における設定値は１６℃、夏における設定値は３５℃である。
ここで、冬季において計測値が設定値以下と判定された場合、または夏季において設定値以上と判定された場合はステップＳ５８に進み、冷気回収ファン制御手段６２０８からの駆動指令信号により冷気回収ファン３０をオン制御する。これにより、各冷凍・冷蔵ショーケース２８から流出して店舗１２の床付近に滞留する冷気を吸引して店舗１２の天井１６内に吹き出す。さらに、冷気回収ファン３０で店舗の天井１６内に吹き出された冷気は吹出口３４から店舗１２内に吹き出される。これによって、店舗１２の床付近の温熱環境を向上させる。また、冬季において計測値が設定値より大きいと判定された場合、または夏季において設定値より小さいと判定された場合はステップＳ５４に戻り、以下、スケジュールタイマー７０で設定された営業時間の間、ステップＳ５４乃至ステップＳ５７の処理を繰り返し実行する。
【００３５】
次いで、冷気回収ファン制御手段６２０８は、再度、第２温湿度センサー３８または第４温度センサー８６で検出した温度の計測値が冬季の場合は設定値以上かを比較判定し、夏季の場合は設定値以下かを比較判定する（ステップＳ５９）。この場合の冬における設定値は１８℃、夏における設定値は３３℃である。
ここで、冬季において計測値が設定値以上と判定された場合、または夏季において設定値以下と判定された場合はステップＳ５２に進み、冷気回収ファン３０を冷気回収ファン制御手段６２０８でオフ状態に制御する。また、冬季においてステップＳ５９で、計測値が設定値より小さいと判定された場合、または夏季において計測値が設定値より大きいと判定された場合はステップＳ５４に戻り、以下、スケジュールタイマー７０で設定された営業時間の間、ステップＳ５４乃至ステップＳ５９の処理を繰り返し実行する。
【００３６】
上記ステップＳ５６において、季節が中間期である場合はステップＳ６１に進み、第２温度センサー５６（外気温度センサー）で検出した温度の計測値が２５℃以下かを比較判定する。ここで、計測値が２５℃より大きいと判定された場合は夏季と判断してステップＳ５４に戻り、ステップＳ５４以降の処理を実行する。また、計測値が２５℃以下と判定された場合はステップＳ６２に進み、冷気回収ファン３０を冷気回収ファン制御手段６２０８によりオン制御する。その後、第２温湿度センサー３８または第４温度センサー８６で検出した温度の計測値が設定値以上かを比較判定する（ステップＳ６３）。この場合の中間期における設定値は２０℃である。
ステップＳ６３において、計測値が設定値より小さいと判定された場合はステップＳ５４に戻り、ステップＳ５４以下の処理を実行する。また、ステップＳ６３において、計測値が設定値以上であると判定された場合はステップＳ６４に進み、冷気回収ファン３０を冷気回収ファン制御手段６２０８によりオフ制御する。その後、ステップＳ５４に戻り、ステップＳ５４以降の処理を実行する。
【００３７】
このような本実施の形態３によれば、暖房運転時に店舗１２の床付近の温度（及び湿度）を計測し、また、冷房運転時に店舗１２の天井内温度を計測し、中間期には風徐室温度と店舗１２の床付近の温度及び店舗内の温度を計測し、この計測値に従い冷気回収ファン３０を運転制御することにより、各冷凍・冷蔵ショーケース２８から流出して店舗１２の床付近に滞留する冷気を吸引して店舗１２の天井１６内に吹き出し、さらに、冷気回収ファン３０で店舗の天井１６内に吹き出された冷気を吹出口３４から店舗１２内に吹き出すように構成したので、冬季などの暖房運転時に床付近における足下の温熱環境を向上できるとともに、夏季は天井内が高温になるのを防ぐことにより、店舗内の冷房負荷を低減でき、店舗の空調に使用される消費エネルギーを低減できるほか、省エネルギーシステムを低コストで導入することが可能になる。
【００３８】
（実施の形態４）
次に、店舗用の省エネルギーシステムにおいて、空気調和ユニットの冷房運転時に、日射による輻射熱で熱せられた店舗の天井裏の空気を店舗の外へ排出して店舗の冷房効果を向上させる場合の構成について、図４及び図７を参照して説明する。
【００３９】
この実施の形態に示す店舗用の省エネルギーシステムにおいては、図４に示すように、店舗１２の北側の天井１６内には、外気吸入口１６０２を通して外気を吸引する複数の給気ファン４２が設置されている。各給気ファン４２で吸引された外気は、店舗１２の天井１６と屋根１４との間に形成された天井空間１２０４に供給される。また、店舗１２の南側の天井１６内には、日射による輻射熱で熱せられた天井空間１２０４内の熱気を排気口１２０８から外部へ排出する複数の排気ファン４４が設置されている。これら給気ファン４２及び排気ファン４４は店舗１２の北側天井内及び店舗１２の南側天井内の複数箇所に設けられ、天井空間１２０４への外気の供給と天井空間１２０４からの排気を複数箇所で同時に行われるように構成されている。
また、天井空間１２０４内の温度を複数の箇所で検出する複数の第３温度センサー４６が天井空間１２０４に設けられている。なお、図４では第３温度センサー４６が１個のみしか示していない。
【００４０】
各給気ファン４２及び排気ファン４４は、店舗１２内の側壁に設けられた排熱ファン用制御盤４８に接続されている。この排熱ファン用制御盤４８は、操作スイッチ、継電器、電磁接触器などを組み込み、各給気ファン４２及び排気ファン４４の運転に必要な諸種の電気的制御を行うもので、出力インタフェース６４を介して中央制御部６２に接続されている。
各給気ファン４２及び排気ファン４４には、図７に示すように、排熱ファン用制御盤４８を通してＡＣ電源装置６８から各給気ファン４２及び排気ファン４４の駆動に必要な電力が供給されるように構成されている。第３温度センサー４６は入力インタフェース６６を介して中央制御部６２に接続されている。また、ＡＣ電源装置６８と排熱ファン用制御盤４８とを接続する給電ラインには、給気ファン４２及び排気ファン４４の運転時に流れる電流を計測する電流計４８１が設けられている。この電流計４８１で計測された電流値はデータ収集部７８に入力され、電力量に変換されて端末装置８２からデータ受信できるように構成されている。
中央制御部６２は、空気調和ユニットによる冷房運転時に、第３温度センサー４６で検出した温度の計測値が予め設定された設定値となるように各給気ファン４２及び排気ファン４４を駆動制御する排熱ファン制御手段６２１０を有している。この排熱ファン制御手段６２１０は、季節切替スイッチ９５が夏、冬、または春及び秋の中間期の何れに切り替えられているかを判定する機能を有する。
なお、季節切替スイッチ９５は排熱ファン用制御盤４８に設けられる方式であってもよい。
【００４１】
次に、本実施の形態４に示す店舗用の省エネルギーシステムの動作について、図４、図７及び図１１を参照して説明する。
まず、店舗１２内に設置されている中央監視盤（図示せず）をスタートさせ、店舗１２内に火災が発生しているか否かを、店舗１２内に設置されている火災検知器（図示せず）からの検知情報を基に判定する（ステップＳ９１）。ここで、火災の発生を検知した場合は、全ての給気ファン４２および排気ファン４４でオフ状態に制御する（ステップＳ９２）。また、火災が発生していないと判定された場合はステップＳ９３に進む。
ステップＳ９３では、季節切替スイッチ９５が夏または中間期・冬の何れに切り替えられているかを排熱ファン制御手段６２１０により判定する。ここで、季節が中間期・冬で、かつ季節切替スイッチ９５が中間期・冬に切り替えられていると判定された場合はステップＳ９２に進み、全ての給気ファン４２および排気ファン４４をオフ状態に制御する。また、季節切替スイッチ９５が夏に切り替えられていると判定された場合はステップＳ９４に進む。
【００４２】
ステップＳ９４では、中央制御部６２の時刻判定手段６２０２でスケジュールタイマー７０の時刻が店舗１２の営業時間帯（１０：００〜２２：３０）か否かを判定する。ここで、スケジュールタイマー７０の時刻が営業時間帯でないと判定された場合はステップＳ９２に戻り、排熱ファン制御手段６２１０により全ての給気ファン４２および排気ファン４４をオフ制御する。
一方、スケジュールタイマー７０の時刻が営業時間帯であると判定された場合はステップＳ９５で示す処理が排熱ファン制御手段６２１０で実行される。すなわち、空気調和ユニット１８による冷房運転時において、各第３温度センサー４６で検出された温度の平均値を計測値として求め、この計測値が設定値以下かを比較判定する。この場合の設定値は３８℃である。
【００４３】
ここで、計測値が設定値（３８℃）以上と判定された場合はステップＳ９６に進み、排熱ファン制御手段６２１０からの駆動指令信号により給気ファン４２および排気ファン４４の１段目をオン制御する。例えば、給気ファン４２および排気ファン４４がそれぞれ８台ずつある場合は、この８台のうちの４台の給気ファン４２と排気ファン４４をオン状態にし、残りの４台をオフ状態にする。これにより、屋根１４を通して日射による輻射熱で熱せられた店舗の天井裏の空気を店舗の外へ排出して店舗の冷房効果を向上させる。また、ステップＳ９５において計測値が設定値（３８℃）より小さいと判定された場合はステップＳ９４に戻り、以下、スケジュールタイマー７０で設定された営業時間の間、ステップＳ９４及びステップＳ９５の処理を繰り返し実行する。
【００４４】
次いで、排熱ファン制御手段６２１０は、ステップＳ９７において、再度、各第３温度センサー４６で検出された温度の平均値である計測値が設定値（３６℃）以下かを比較判定する。ここで、計測値が設定値（３６℃）以下と判定された場合はステップＳ９８に進み、上記オン状態に制御されていた一部（各４台ずつ）の給気ファン４２及び排気ファン４４を排熱ファン制御手段６２１０でオフ状態に制御する。また、ステップＳ９７において、計測値が設定値（３６℃）より大きいと判定された場合はステップＳ９９に進み、再度、各第２温度センサー４６で検出された温度の平均値である計測値が設定値（４２℃）以上かを比較判定する。
【００４５】
上記ステップＳ９９において、計測値が設定値（４２℃）以上と判定された場合はステップＳ１００に進み、排熱ファン制御手段６２１０からの駆動指令信号により２段目（各４台ずつ）の給気ファン４２と排気ファン４４をオン制御して、８台全ての給気ファン４２と排気ファン４４を駆動する。これにより、給気ファン４２による外気の吸気能力と排気ファン４４による排気能力をアップし、日射による輻射熱で熱せられた店舗の天井裏の熱気を排除して店舗の冷房効果を向上させる。また、ステップＳ９９において計測値が設定値（４２℃）より小さいと判定された場合はステップＳ９６に戻り、ステップＳ９６、ステップＳ９７及びステップＳ９９の処理を繰り返し実行する。
【００４６】
次いで、排熱ファン制御手段６２１０は、ステップＳ１０１において、再度、各第３温度センサー４６で検出された温度の平均値である計測値が設定値（４０℃）以下かを比較判定する。ここで、計測値が設定値（４０℃）以下と判定された場合はステップＳ１０２に進み、上記オン状態に制御されていた２段目の給気ファン４２と排気ファン４４を排熱ファン制御手段６２１０でオフ状態に制御する。また、ステップＳ１０１において、計測値が設定値（４０℃）より大きいと判定された場合はステップＳ１００に戻り、ステップＳ１００以降の処理を実行する。
【００４７】
このような本実施の形態４においては、店舗１２の天井１６内に給気ファン４２及び排気ファン４４を配設し、これら給気ファン４２及び排気ファン４４を天井内の検出温度に応じて排熱ファン制御手段６２１０により駆動制御するようにしたので、夏季の冷房運転時に、日射による輻射熱で熱せられた店舗の天井内の空気を店舗の外へ排出することができる。これにより、天井内の温度を低下させることができ、店舗内の冷房負荷を低減できるほか、省エネルギー効果が期待できる。さらに、天井内温度を計測しながら給気ファン４２及び排気ファン４４を自動的に制御するため、必要最小限のエネルギーで稼動させることができる。
【００４８】
（実施の形態５）
次に、店舗用の省エネルギーシステムにおいて、店舗内の空調に全熱交換器を使用した場合の構成について、図５及び図７を参照して説明する。
この実施の形態に示す店舗用省エネルギーシステムにおいては、図５に示すように、外気と店舗内空気の湿度分と顕熱を同時に熱交換する全熱交換器５０が店舗１２の天井１６内の複数の箇所に設けられている。
【００４９】
全熱交換器５０は、店舗１２内の側壁に設けられた全熱交換器用制御盤５２に接続されている。この全熱交換器用制御盤５２は全熱交換器５０の運転に必要な諸種の電気的制御を行うもので、出力インタフェース６４を介して中央制御部６２に接続されている。
全熱交換器５０には、図７に示すように、全熱交換器用制御盤５２を通してＡＣ電源装置６８から全熱交換器５０の駆動に必要な電力が供給される構成になっている。
また、ＡＣ電源装置６８と全熱交換器用制御盤５２とを接続する給電ラインには、全熱交換器５０の運転時に流れる電流を計測する電流計５２１が設けられている。この電流計５２１で計測された電流値はデータ収集部７８に入力され、電力量に変換されて端末装置８２からデータ受信できるように構成されている。
中央制御部６２は、全熱交換器５０を駆動制御する全熱交換器用制御手段６２１２を有している。
【００５０】
この実施の形態５において、全熱交換器用制御手段６２１２から出力インタフェース６４を通して運転指令信号が全熱交換器用制御盤５２に入力されると全熱交換器５０が起動される。これに伴い、外気吸入口５００２から吸入された外気は全熱交換器５０内を通して給気口５００４から店舗１２内に供給される。そして、店舗１２内の空気は、店舗１２内の天井１６に設けた吸入口５００６から吸入された後、全熱交換器５０内を通して排気口５００８から店舗１２の外に排出される。この時、外気と店舗内空気の湿度分と顕熱が同時に熱交換されるため、全熱交換器５０の夏の運転時に取り入れられた外気は店舗からの排気により冷却除湿され、店舗からの排気は加熱加湿される。また、全熱交換器５０の冬の運転時に取り入れられる外気は低温低湿なので夏とは逆に作用し、取り入れられた外気は加熱加湿される。これにより、店舗内の空調換気が可能になる。
【００５１】
このような本実施の形態５によれば、全熱交換器５０を設置することにより、外気の冷暖房負荷を低減でき、省エネルギー効果を向上できる。これにより、空気調和ユニット１８に空調能力の低い空気調和ユニットに置き換えることができ、消費エネルギーを低減することが可能になる。
【００５２】
（実施の形態６）
次に、店舗用の省エネルギーシステムにおいて、空気調和ユニットの冷房・暖房運転時に店舗の風除室にエアカーテンを発生させる場合の構成について、図６及び図７を参照して説明する。
この実施の形態に示す店舗用省エネルギーシステムは、図１に示す場合と同様に構成された複数の空気調和ユニット１８を備えるほか、店舗１２の風除系統ゾーン１である風除室１２０２の天井に配設されて風除室１２０２内の出入口にエアカーテンを形成する複数のエアカーテン用ファン５４と、風除室１２０２内の天井の温度を検出する第２温度センサー５６と、店舗１２内の温度を検出する第４温度センサー８６がそれぞれ設けられている。
【００５３】
各エアカーテン用ファン５４は、店舗１２内の側壁に設けられたエアカーテンファン用制御盤５８に接続されている。このエアカーテンファン用制御盤５８は、エアカーテン用ファン５４の運転に必要な諸種の電気的制御を行うもので、出力インタフェース５８を介して中央制御部６２に接続されている。
各エアカーテン用ファン５４には、図７に示すように、エアカーテンファン用制御盤５８を通してＡＣ電源装置６８からエアカーテン用ファン５４の駆動に必要な電力が供給されるように構成されている。第２温度センサー５６及び第４温度センサー８６は入力インタフェース６６を介して中央制御部６２に接続されている。
【００５４】
ＡＣ電源装置６８とエアカーテンファン用制御盤５８とを接続する給電ラインには、エアカーテン用ファン５４の運転時に流れる電流を計測する電流計５８１が設けられている。この電流計５８１で計測された電流値は後述する総電力量パルス発信部９２に入力されるように構成されている。
中央制御部６２は、空気調和ユニット１８による冷房・暖房運転時に、第３温度センサー５６で検出した温度と、第４温度センサー８６で検出した温度との差を計測し、この計測値が予め設定された設定値となるように複数のエアカーテン用ファン５４を駆動制御するエアカーテンファン制御手段６２１４を有する。このエアカーテンファン制御手段６２１４は、季節切替スイッチ９５が夏・冬か、または春及び秋の中間期の何れに切り替えられているかを判定する機能を有する。
なお、季節切替スイッチ９５はエアカーテンファン用制御盤５８に設けられる方式であってもよい。
【００５５】
次に、本実施の形態６に示す店舗用の省エネルギーシステムの動作について、図６、図７及び図１２を参照して説明する。
まず、店舗１２内に設置されている中央監視盤（図示せず）をスタートさせ、店舗１２内に火災が発生しているか否かを、店舗１２内に設置されている火災検知器（図示せず）からの検知情報を基に判定する（ステップＳ７１）。ここで、火災の発生を検知した場合は、ゾーン１に設置されたエアカーテン用ファン５４をエアカーテンファン制御手段６２１４によりオフ状態に制御する（ステップＳ７２）。また、火災が発生していないと判定された場合はステップＳ７３に進む。
ステップＳ７３では、季節切替スイッチ９５が夏・冬または中間期の何れに切り替えられているかをエアカーテンファン制御手段６２１４により判定する。ここで、季節が夏・冬で、かつ季節切替スイッチ９５が夏・冬に切り替えられていると判定された場合はステップＳ７４に進む。また、中間期であると判定された場合はステップＳ７８に進む。
【００５６】
ステップＳ７４においては、中央制御部６２の時刻判定手段６２０２によりスケジュールタイマー７０の時刻が店舗１２の営業時間帯（１０：００〜２２：３０）か否かを判定する。ここで、スケジュールタイマー７０の時刻が営業時間帯でないと判定された場合はステップＳ７２に進み、エアカーテンファン制御手段６２１４がゾーン１のエアカーテン用ファン５４をオフ制御する。また、スケジュールタイマー７０の時刻が営業時間帯であると判定された場合はステップＳ７５に進み、ステップＳ７５に示す処理を実行する。
すなわち、空気調和ユニット１８による冷房・暖房運転時において、風除室の第２温度センサー５６（外気温度センサー）の検出温度と、第４温度センサー８６で検出した温度との差を計測し、この計測値が設定値以上かを比較判定する。この場合のゾーン１における設定値は３℃である。
ここで、両検出温度の差の計測値が設定値（３℃）より小さいと判定された場合はステップＳ７４に戻り、ステップＳ７４以降の処理を実行する。また、両検出温度の差の計測値が設定値（３℃）以上と判定された場合はステップＳ７６に進み、エアカーテン用ファン５４をエアカーテンファン制御手段６２１４によりオン制御する。これにより、エアカーテン用ファン５４が駆動され、風除室１２０２内の出入口にエアカーテンを形成する。
【００５７】
次いで、エアカーテンファン制御手段６２１４は、再度、風除室の第２温度センサー５６の検出温度と、第４温度センサー８６で検出した温度との差を計測し、この計測値が設定値以下かを比較判定する（ステップＳ７７）。この場合のゾーン１における設定値は１℃である。
ここで、両検出温度の差の計測値が設定値（１℃）より大きいと判定された場合はステップＳ７６に進み、スケジュールタイマー７０で設定された営業時間の間、ステップＳ７６４以降の処理を繰り返し実行する。また、両検出温度の差の計測値が設定値（１℃）以下と判定された場合はステップＳ７２に戻り、ゾーン１のエアカーテン用ファン５４をエアカーテンファン制御手段６２１４によりオフ制御する。これにより、エアカーテン用ファン５４の運転を停止する。
【００５８】
上記ステップＳ７３での処理において、季節が中間期であると判定された場合はステップＳ７８に進み、以下の処理が中央制御部６２の時刻判定手段６２０２及びエアカーテンファン制御手段６２１４により実行される。
すなわち、ステップＳ７８では、時刻判定手段６２０２によりスケジュールタイマー７０の時刻が店舗１２の営業時間帯（１０：００〜２２：３０）か否かを判定する。ここで、スケジュールタイマー７０の時刻が営業時間帯でないと判定された場合はステップＳ７２に進み、エアカーテンファン制御手段６２１４がゾーン１のエアカーテン用ファン５４をオフ制御する。また、スケジュールタイマー７０の時刻が営業時間帯であると判定された場合はステップＳ７９に進み、ステップＳ７９に示す処理を実行する。
【００５９】
すなわち、中間期において、第２温度センサー５６の検出温度と、第４温度センサー８６で検出した温度との差を計測し、この計測値が設定値以上かを比較判定する。この場合のゾーン１における設定値は５℃である。
ここで、両検出温度の差の計測値が設定値（５℃）より小さいと判定された場合はステップＳ７８に進み、ステップＳ７８以降の処理を実行する。また、計測値が設定値（５℃）以上と判定された場合はステップＳ８０に進み、エアカーテン用ファン５４をエアカーテンファン制御手段６２１４によりオン制御する。これにより、エアカーテン用ファン５４が駆動され、風除室１２０２内の出入口にエアカーテンを形成する。
【００６０】
次いで、エアカーテンファン制御手段６２１４は、再度、風除室の第２温度センサー５６の検出温度と、第４温度センサー８６で検出した温度との差を計測し、この計測値が設定値以下かを比較判定する（ステップＳ８１）。この場合のゾーン１における設定値は３℃である。
ここで、両検出温度の差の計測値が設定値（３℃）より大きいと判定された場合はステップＳ８０に戻り、スケジュールタイマー７０で設定された営業時間の間、ステップＳ８０以降の処理を繰り返し実行する。また、両検出温度の差の計測値が設定値（３℃）以下と判定された場合はステップＳ７２に戻り、ゾーン１のエアカーテン用ファン５４をエアカーテンファン制御手段６２１４によりオフ制御する。これにより、エアカーテン用ファン５４の運転を停止する。
【００６１】
このような本実施の形態６によれば、店舗の風徐室にエアカーテンを発生することにより、冷房及び暖房運転時の店舗内の空調負荷を低減でき、店舗の空調に使用される消費エネルギーを低減できるほか、省エネルギーシステムを低コストで導入することが可能になる。
【００６２】
図７において、空気調和ユニット１８、暖気循環ファン２４、冷気回収ファン３０、給気ファン４２と排気ファン４４、全熱交換器５０、エアカーテン用ファン５４、照明設備などに供給される電流を個別に計測する電流計２０１，２６１，４０１，４８１，５２１，５８１等がデータ収集部７８に接続されている。
データ収集部７８では、各電流計２０１，２６１，４０１，４８１，５２１，５８１で計測された電流値を基に、空気調和ユニット１８、暖気循環ファン２４、冷気回収ファン３０、給気ファン４２と排気ファン４４、全熱交換器５０及び照明設備で使用された電力量を算出する。また、総電力量は、電力引き込みラインに接続した総電力量パルス発信器９２によりデマンド装置９０及びデータ収集部７８に送信される。
【００６３】
第１温湿度センサー２２、温湿度センサー３８、第１温度センサー７２、第２温度センサー５６、第３温度センサー４６、第４温度センサー８６から中央制御部６２に取り込まれる計測値データ及びシステムに供給される電力量（灯油量等）を含むデータを収集するデータ収集部７８が中央制御部６２に接続されている。
データ収集部７８で収集されたデータはハブ（ＨＵＢ：集線装置）８０及び店舗１２の管理センターなどに設置されたパソコン等の端末装置８２にＬＡＮやインターネットなどの通信回線８４を通して伝送され記録されるようになっている。また、端末装置８２に記録されたデータは、省エネルギーシステムが最適に運転されるように、電力量などのエネルギーの使用状況や店舗の温湿度状況の分析評価及びランニングコスト削減の資料として使用される。
【００６４】
図７において、デマンド装置９０は、店舗で使用される消費電力量のピークをカットして、電力コストを低減するためのものであり、店舗の契約電力は、過去１年間の最大需用電力（デマンド）で決定される。デマンド装置９０には、店舗で使用される総電力量を計測する総電力量パルス発信器９２が接続されている。総電力量パルス発信器９２で計測された総電力量はデマンド装置９０に取り込まれる。そして、デマンド装置９０に取り込まれた総電力量は、予め設定された設定値（契約電力）と比較され、店舗での最大需用電力が設定値以上になると予測された場合には、デマンド装置９０に接続された電気機器を停止することで、消費電力量のピークをカットする。例えば、図７に示す実施の形態では、デマンド装置９０に接続された一部の空気調和ユニット１８及び一部の冷凍・冷蔵設備９４が運転停止の制御対象としている。
なお、このようなデマンド装置には、公知のものを利用することができる。また、各空気調和ユニット１８及び冷凍・冷蔵設備の一部は、デマンド装置に接続され、総電力量パルス発信器からの信号を受けてデマンド値による制御を行うとともに、使用電力量のデータ収集を行っている。
【００６５】
上述したように店舗用の省エネルギーシステムにデマンド装置９０を組み込むことにより、店舗で使用される消費電力量のピークカットが可能になり、これにより、店舗の総電力量を契約電力内におさめることができる。
【００６６】
本発明の省エネルギーシステムは、上記実施の形態で述べた店舗にのみ適用されるものとは限らず、事務所ビルや居住空間などの空調を要する空調空間にも利用できることは勿論である。
また、上記実施の形態では、店舗に設置された照明設備の省エネルギーについて詳述していないが、照明設備についても省エネルギー化が行われている。具体的には、蛍光灯や白熱ランプ、半導体発光素子などからなる照明設備を周知の配電制御盤に接続し、この配電制御盤に中央制御部から指令信号に入力して、電源装置から照明設備に供給される電力を制御することにより、各種の照明設備を点灯、消灯するようになっている。特に各種の照明設備の点灯、消灯制御には、２４時間タイマーなどからなるスケジュールタイマーが利用される。
【００６７】
中央制御部６２は、マイクロコンピュータによって構成することができる。
すなわち、マイクロコンピュータは、ＣＰＵと、バスラインを介して接続されたＲＯＭ、ＲＡＭ、インタフェースなどを含んで構成されている。ＲＯＭはＣＰＵが実行する制御プログラムなどを格納し、ＲＡＭはワーキングエリアを提供する。そして、ＣＰＵが前記制御プログラムを実行することにより、時刻判定手段６２０２、除湿運転制御手段６２０４、暖気循環ファン制御手段６２０６、冷気回収ファン制御手段６２０８、排熱ファン制御手段６２１０、全熱交換器制御手段６２１２、エアカーテンファン制御手段６２１４が実現される。
【符号の説明】
【００６８】
１２…店舗、１２０４…天井空間、１４…屋根、１６…天井、１８…空気調和ユニット、２０…エアコン用制御盤、２０２…リモコン、２２…第１温湿度センサー、２４…暖気循環ファン、２６…暖気循環ファン用配電盤、２８…冷蔵・冷凍ショーケース、３０…冷気回収ファン、３２…通気ダクト、３４…吹出口、３８…第２温湿度センサー、４０…冷気回収ファン用配電盤、４２…給気ファン、４４…排気ファン、４６…第３温度センサー、４０…排熱ファン用制御盤、５０…全熱交換器、５００２…外気吸入口、５００４…給気口、５００６…吸入口、５００８…排気口、５２…全熱交換器用制御盤、５４…エアカーテン用ファン、５６…第２温度センサー、５８…エアカーテンファン用制御盤、６２…中央制御部、６２０２…時刻判定手段、６２０４…除湿運転制御手段、６２０６…暖気循環ファン制御手段、６２０８…冷気回収ファン制御手段、６２１０…排熱ファン制御手段、６２１２…全熱交換器制御手段、６２１４…エアカーテンファン制御手段、６４…出力インタフェース、６６…入力インタフェース、６８…ＡＣ電源装置、７０…スケジュールタイマー、７２…第１温度センサー、７４…第２温度センサー、７６…電力計、７８…データ収集部、８０…ハブ、８２…端末装置、８４…通信回線、８６…第４温度センサー、９０…デマンド装置、９２…総電力量パルス発信器、９４…冷凍・冷蔵設備、９５…季節切替スイッチ。
【図１】
2011149654.tif 000003
【図２】
2011149654.tif 000004
【図３】
2011149654.tif 000005
【図４】
2011149654.tif 000006
【図５】
2011149654.tif 000007
【図６】
2011149654.tif 000008
【図７】
2011149654.tif 000009
【図８】
2011149654.tif 000010
【図９】
2011149654.tif 000011
【図１０】
2011149654.tif 000012
【図１１】
2011149654.tif 000013
【図１２】
2011149654.tif 000014